(57)【特許請求の範囲】
【請求項１】
左右の縦枠を備えるドア枠と、前記左右の縦枠に対して外部側に配置される左右の縦框および面材を備える扉とを備え、
前記左右の縦框のうちの吊元側の縦框は、前記左右の縦枠のうちの吊元側の縦枠に回動可能に連結され、
前記左右の縦框のうちの戸先側の縦框は、縦框本体部と、前記縦框本体部の見込み面から見付け方向外側に延設された外側把手部とを有し、
前記外側把手部は、前記扉の閉鎖状態で前記左右の縦枠のうちの戸先側の縦枠を覆って配置される
ことを特徴とするドア。
【請求項２】
請求項１に記載のドアにおいて、
前記戸先側の縦枠の室外面には、弾性変形可能な緩衝材が取り付けられ、
前記戸先側の縦框には、前記縦框本体部の室内面から室内側に延設された内側把手部を備え、
前記内側把手部は、前記扉の閉鎖状態で前記緩衝材を覆って配置される
ことを特徴とするドア。
【請求項３】
請求項２に記載のドアにおいて、
前記扉を閉鎖状態に維持する閉鎖維持機構を備え、
前記内側把手部は、前記縦框本体部の室内面から室内側に突出した見込み片部と、前記見込み片部の室内側端縁から扉の内周側に折曲された把持片部とを備え、
前記閉鎖維持機構は、前記内側把手部の見込み片部および前記戸先側の縦枠のうちの一方に取り付けられる係合部材と、前記内側把手部の見込み片部および前記戸先側の縦枠のうちの他方に取り付けられる受け部材とを備え、
前記扉の閉鎖状態で前記係合部材および前記受け部材が係合する
ことを特徴とするドア。
【請求項４】
請求項３に記載のドアにおいて、
前記閉鎖維持機構は、前記戸先側の縦框および前記戸先側の縦枠の上側部分および下側部分の少なくとも一方に設けられる
ことを特徴とするドア。
【発明の詳細な説明】
【技術分野】
【０００１】
本発明は、ドア枠に対して扉が回動自在に取り付けられた開き戸タイプのドアに関し、特にアウトセットタイプのドアに関する。
【背景技術】
【０００２】
開き戸タイプのドアとしては、建物の壁に開口された開口部にドア枠を配置し、ドア枠の室外側に扉を配置したアウトセットタイプのドアが提案されている（例えば特許文献１）。特許文献１では、扉は、吊元側においてドア枠に対してヒンジを用いて開閉自在に取り付けられている。また、扉には、戸先側において内外に把手を有するハンドルが設けられている。
【先行技術文献】
【特許文献】
【０００３】
【特許文献１】実開平０６−６２１８１号公報
【発明の概要】
【発明が解決しようとする課題】
【０００４】
特許文献１のドアでは、ハンドルといった可動操作部品が扉の戸先側に設けられているので、扉の部品点数が増えてしまう。
また、ハンドルは扉の内外に突出した把手を有するので、ドア枠（縦枠など）を覆いつつ扉の外観をフラットな意匠に構成することが困難である。
【０００５】
本発明の目的は、扉の部品点数を削減することができ、縦枠を覆いつつ扉の外観をフラットな意匠に構成できるアウトセットタイプのドアを提供することにある。
【課題を解決するための手段】
【０００６】
本発明のドアは、左右の縦枠を備えるドア枠と、前記左右の縦枠に対して外部側に配置される左右の縦框および面材を備える扉とを備え、前記左右の縦框のうちの吊元側の縦框は、前記左右の縦枠のうちの吊元側の縦枠に回動可能に連結され、前記左右の縦框のうちの戸先側の縦框は、縦框本体部と、前記縦框本体部の見込み面から見付け方向外側に延設された外側把手部とを有し、前記外側把手部は、前記扉の閉鎖状態で前記左右の縦枠のうちの戸先側の縦枠を覆って配置されることを特徴とする。
【０００７】
本発明のドアによれば、左右の縦框が左右の縦枠に対して外部側に配置されるアウトセットタイプのドアにおいて、戸先側の縦框の縦框本体部から外側把手部が延設されているので、この外側把手部を把持して扉を開閉操作できる。このため、内外に突出した把手を有するハンドルなどの可動操作部品を扉に設ける必要がなく、扉の部品点数を削減できる。
また、外側把手部が縦框本体部の見込み面から見付け方向外側に延設されるので、この外側把手部によって戸先側の縦枠を覆うことができるとともに、扉の外観をフラットな意匠に構成できる。
なお、本発明のドアでは、外側把手部は、扉の閉鎖状態で戸先側の縦枠の室外側全体を覆って配置されることに限られず、外側把手部が縦框本体部から見付け方向外側に延設された寸法分によって戸先側の縦枠を覆って配置され、戸先側の縦枠が外観上目立たない構成となればよい。
【０００８】
本発明のドアでは、前記戸先側の縦枠の室外面には、弾性変形可能な緩衝材が取り付けられ、前記戸先側の縦框には、前記縦框本体部の室内面から室内側に延設された内側把手部を備え、前記内側把手部は、前記扉の閉鎖状態で前記緩衝材を覆って配置されることが好ましい。
このような構成によれば、内側把手部が縦框本体部の室内面から室内側に延設されているので、内側把手部を把持して扉を開閉操作でき、また、扉を受ける緩衝材の見込み面を内側把手部によって覆うことでシンプルな意匠を構成できる。
【０００９】
本発明のドアでは、前記扉を閉鎖状態に維持する閉鎖維持機構を備え、前記内側把手部は、前記縦框本体部の室内面から室内側に突出した見込み片部と、前記見込み片部の室内側端縁から扉の内周側に折曲された把持片部とを備え、前記閉鎖維持機構は、前記内側把手部の見込み片部および前記戸先側の縦枠のうちの一方に取り付けられる係合部材と、前記内側把手部の見込み片部および前記戸先側の縦枠のうちの他方に取り付けられる受け部材とを備え、前記扉の閉鎖状態で前記係合部材および前記受け部材が係合することが好ましい。
このような構成によれば、扉のドア枠に対する回動の中心軸を中心として回動して閉鎖位置に配置される際に、係合部材が受け部材に係合することで、扉の閉鎖状態を維持できる。また、前記中心軸を中心として回動して閉鎖位置から開かれる際に、係合部材が受け部材から外れることで、扉の閉鎖状態の維持を解除し、開放可能状態にできる。
【００１０】
本発明のドアでは、前記閉鎖維持機構は、前記戸先側の縦框および前記戸先側の縦枠の上側部分および下側部分の少なくとも一方に設けられることが好ましい。
このような構成によれば、戸先側の縦框、縦枠のうち閉鎖維持機構が設けられる上側部分および下側部分間における中間部分には、係合部材や受け部材が配置されることがないので、当該中間部分では係合部材や受け部材が邪魔とならずに内側把持部を操作できる。
【発明の効果】
【００１１】
本発明によれば、扉の部品点数を削減することができ、縦枠を覆いつつ扉をフラットな意匠に構成できるアウトセットタイプのドアを提供できる。
【図面の簡単な説明】
【００１２】
【図１】本発明の第１実施形態に係るドアを示す横断面図。
【図２】図１に示すＩＩ−ＩＩ線に沿った縦断面図。
【図３】第１実施形態に係るドアを示す動作説明図。
【図４】本発明の第２実施形態に係るドアを示す横断面図。
【発明を実施するための形態】
【００１３】
［第１実施形態の構成］
以下、本発明の第１実施形態に係るドア１を図面に基づいて説明する。ドア１は、室内の間仕切りなどに用いられる開き戸タイプの室内ドアであり、図１，２に示すように、壁２に取り付けられたドア枠４と、ドア枠４に開閉可能に取り付けられた扉５とを備える。
なお、図１，２では、ドア１によって区画される一方の空間を室内側（例えばリビングルームや居室）とし、他方の空間を室外側（前記室内側の空間に隣接する廊下や脱衣室等）として説明する。
【００１４】
［ドア枠］
ドア枠４は、図１，２に示すように、壁２に固定された左右の縦枠１０（１０Ａ，１０Ｂ）を備える。縦枠１０Ａは扉５の戸先側に配置された縦枠であり、縦枠１０Ｂは扉５の吊元側に配置された縦枠である。
なお、図２に示すように、本実施形態のドア１は、扉５の上部に換気用の隙間を形成しているため、扉５と天井３との間には上枠は設けられていない。ただし、ドア枠４としては、上枠および左右の縦枠を有する三方枠でもよい。
【００１５】
縦枠１０（１０Ａ，１０Ｂ）は、図１に示すように、同一断面形状に構成され、矩形枠状に形成されたホロー部１１（縦枠本体部）と、ホロー部１１から室外側に突出された見込み片部１２とを備えている。
各縦枠１０（１０Ａ，１０Ｂ）の各ホロー部１１において、互いに対向する対向面１１１は溝状に形成され、カバー材１４が着脱可能に取り付けられている。ホロー部１１には、縦枠１０を壁２に固定するネジ（図示略）がねじ込まれ、前記カバー材１４は、ホロー部１１のネジ挿入穴やネジが露出しないようにカバーしている。
【００１６】
縦枠１０のホロー部１１の室外面には、係合溝１１２が形成され、前記室外面に当接する同一形状の弾性変形可能な戸当りゴム１５が緩衝材としてそれぞれ取り付けられている。
戸当りゴム１５は、断面矩形枠状の中空部１５１と、中空部１５１の室外面から突出された一対の突部であるヒレ部１５２と、中空部１５１の室内面から突設されて前記係合溝１１２に係合する係合片１５３とを備える。
中空部１５１は、各縦枠１０Ａ，１０Ｂの見込み片部１２のうち縦枠１０の見付け方向において互いに対向する対向面１２１に沿って配置されている。
縦枠１０Ｂに取り付けられている戸当りゴム１５の一対のヒレ部１５２のうち縦枠１０Ｂの見付け方向外側に位置する外側のヒレ部１５２は、縦框４０の外周面部４１１と縦枠１０Ｂの見込み片部１２の室外側端縁との隙間に配置されている。
【００１７】
吊元側の縦枠１０Ｂの上下両端側には、図２に示すように、扉５を支持するピボットヒンジ６０（６０Ａ，６０Ｂ）が配置されており、上端側には上ピボットヒンジ６０Ａが配置されており、下端側には下ピボットヒンジ６０Ｂが配置されている。
【００１８】
上ピボットヒンジ６０Ａは、縦枠１０Ｂの上端に図示略のネジで固定された支持プレート６１（第一支持プレート）と、吊元側の縦框４０の上端に配置された軸部材６４（第一軸部材）とを備えている。
支持プレート６１には、軸部材６４が挿入される穴６２１を有する軸受部６２が形成され、この軸受部６２は樹脂カバー６３で被覆されている。
【００１９】
下ピボットヒンジ６０Ｂは、縦枠１０Ｂの下端に図示略のネジで固定された支持プレート６５（第二支持プレート）と、支持プレート６５に立設された軸部材６６（第二軸部材）と、縦框４０の下端に配置された軸受部品７５とを備えている。
なお、縦枠１０Ｂに取り付けられる戸当りゴム１５は、支持プレート６１および支持プレート６５間に取り付けられている。
【００２０】
［扉］
扉５は、図１，２に示すように、上框２０と、下框３０と、左右の縦框４０，５０と、面材６とを備える。扉５は、縦框４０，５０間に上框２０および下框３０が取り付けられて組まれている。図１に示すように、扉５において、縦框４０は吊元框であり、縦框５０は戸先框である。
【００２１】
面材６は、本実施形態では透光性のガラスであるが、ガラスに限定されず、樹脂板や木製パネル等でもよい。なお、面材６がガラス製あるいは透光性の樹脂板である場合に、すりガラス調にするなどして、光はある程度透過させるが室内にいる人のプライバシーを守ることができるように構成されていることが好ましい。
【００２２】
上框２０は、図２に示すように、断面が略矩形枠状に形成されたアルミ製の形材本体２１と、形材本体２１にネジ止めされたブラケット２２と、ブラケット２２に対して面材６を挟んでネジ止めされる押さえ板２３と、カバー部材２４とを備えている。
カバー部材２４は、形材本体２１の室内側および室外側の各突起に係合して取り付けられ、形材本体２１およびブラケット２２、押さえ板２３等が扉５の表面に露出しないように被覆している。
ブラケット２２および押さえ板２３は、形材本体２１の吊元側に取り付けられている。そして、押さえ板２３から、面材６に形成された貫通穴を介してブラケット２２にネジ２５をねじ込むことで、面材６を支持している。
また、上框２０の吊元側の縦框４０側の端部において、形材本体２１の中空部分には、連結金具が配置され、形材本体２１の上面には、形材本体２１を挟んで前記連結金具にネジ止めされるプレートがネジ止めされている。このプレートは縦框４０の上端面まで延長されており、この部分には軸部材６４が取り付けられている。
【００２３】
下框３０は、上框２０と同様の構成であり、形材本体３１と、ブラケット３２と、押さえ板３３と、カバー部材３４とを備えている。
また、下框３０の吊元側の縦框４０側の端部において、形材本体３１の中空部分には、前記ブラケット３２にネジ止めされる連結金具が配置され、形材本体３１の底面には、形材本体３１を挟んで前記連結金具にネジ止めされるプレートがネジ止めされている。このプレートは縦框４０の下端面まで延長されており、この部分には軸受部品７５が固定されている。
軸受部品７５は、円筒状に形成されており、前記軸部材６６が挿入されることで、軸部材６６つまり支持プレート６５に対して扉５を回動自在に支持している。
【００２４】
吊元框である縦框４０は、図２に示すように、アルミ製や樹脂製の押出形材で構成されている。縦框４０は、上下方向に連続するホロー部４１と、ホロー部４１から突設された一対の保持片４２とを備えている。
一対の保持片４２間に形成される凹溝には、セッティングブロック４５を介して、面材６の端縁が配置されている。セッティングブロック４５は、ピース状に形成されて面材６の端縁に沿って複数個設けられている。そして、前記凹溝内には、接着剤が充填され、セッティングブロック４５および面材６が縦框４０に固着されている。
【００２５】
ホロー部４１は、断面形状が略半円状である半円筒形状とされ、円周面状の外周面部４１１と、直線状の連結壁部４１２とを備えている。前記保持片４２は、連結壁部４１２から直交方向に突出されている。
外周面部４１１は、前記軸受部品７５の中心軸Ｏを中心として円周面状に形成されている。このため、扉５を閉めた際の外周面部４１１と、縦枠１０Ｂの見込み片部１２の室外側端縁との隙間寸法Ｓは、図３に示すように、扉５を開いた場合でも、一定である。
すなわち、扉５を開閉した際に、見込み片部１２に最も近接する外周面部４１１は、扉５の回転中心からの半径が一定（同じ寸法）であるため、見込み片部１２との隙間寸法Ｓも一定となる。このため、隙間寸法Ｓは、ドア１の製造精度や組立精度の誤差のために必要となる最小限の寸法（例えば、５ｍｍ未満）とされており、利用者の指が外周面部４１１と見込み片部１２との隙間に入ることがないように設定されている。
外周面部４１１の円弧面の両端と中心軸Ｏとを結ぶ二つの半径がなす中心角は、扉５の開閉における最大回動角に対応して設定されており、本実施形態では１８０°とされている。
【００２６】
戸先框である縦框５０は、図１に示すように、アルミ製や樹脂製の押出形材で構成されている。縦框５０は、上下方向に連続する縦框本体部であるホロー部５１と、ホロー部５１から突設された一対の保持片５２と、ホロー部５１の見込み面５１Ｃから見付け方向外側に延設された外側把手部としての室外把手片５３と、ホロー部５１の室内面５１Ｂから室内側に延設された内側把手部としての室内把手片５４とを備えている。
一対の保持片５２間に形成される凹溝と、セッティングブロック４５を介して、面材６の端縁が配置されている。セッティングブロック４５は、ピース状に形成されて面材６の端縁に沿って複数個設けられている。そして、前記凹溝内には、接着剤が充填され、セッティングブロック４５および面材６が縦框５０に固着されている。
扉５の閉鎖状態では、ホロー部５１の室内面５１Ｂのうち見付け方向外側に位置する部分が一対のヒレ部１５２のうち見付け方向内側に位置するヒレ部１５２に当接する。
【００２７】
室外把手片５３は、ホロー部５１の室外面５１Ａに沿って延出されている。室外把手片５３の突出寸法Ｗ１は、図１に示す扉５の閉鎖状態で、縦枠１０Ａを室外側から覆うことができる寸法とされている。ここで、突出寸法Ｗ１は、縦枠１０Ａの室外側全体を覆うことができる程に長い寸法であってもよいが、本実施形態では、縦枠１０Ａをほぼ覆うことができる寸法であって、戸当りゴム１５の室外側全体を覆うことができる寸法とされている。
室外把手片５３の先端は、室内側に膨らんだ形状とされ、室外把手片５３を手で握りやすくしている。
【００２８】
室内把手片５４は、ホロー部５１の室内面５１Ｂから室内側に突出した見込み片部５４１と、見込み片部５４１の室内側端縁から扉５の内周側に折曲された把持片部５４２とを備えている。把持片部５４２の先端は、室外側に膨らんだ形状とされ、室内把手片５４の把持片部５４２を手で握りやすくしている。
室内把手片５４の見込み片部５４１の突出寸法Ｌは、戸当りゴム１５の側面をほぼ覆う寸法とされ、扉５を閉めた際に、室内把手片５４で戸当りゴム１５を隠すことができる寸法とされている。
【００２９】
［第１実施形態の動作］
以下、第１実施形態に係るドア１の開閉動作について説明する。
図１に示す閉鎖位置（全閉位置）にある扉５の室外把手片５３が利用者に把持されて引き操作されると、扉５はピボットヒンジ６０の中心軸Ｏを中心として図３に示すＡ方向に回動して縦枠１０Ａ，１０Ｂ間の開口を開放される。図３に実線で示す扉５の位置は開放位置（全開位置）であって図１に示す閉鎖位置から１８０°回動した位置である。
このとき、縦框４０の外周面部４１１が中心軸Ｏを中心として円周面状に形成されているので、当該外周面部４１１と縦枠１０Ｂの見込み片部１２の室外側端縁との隙間寸法Ｓは、扉５が閉鎖位置から開放位置まで１８０°回動しても変化せずに一定である。
【００３０】
また、図３に示す開放位置にある扉５の室内把手片５４が利用者に把持されて引き操作されると、扉５はピボットヒンジ６０の中心軸Ｏを中心として図３に示すＢ方向に回動して縦枠１０Ａ，１０Ｂ間の開口を閉鎖する。
このとき、縦框４０の外周面部４１１が中心軸Ｏを中心として円周面状に形成されているので、当該外周面部４１１と縦枠１０Ｂの見込み片部１２の室外側端縁との隙間寸法Ｓは、扉５が開放位置から閉鎖位置まで１８０°回動しても変化せずに一定である。
【００３１】
［第１実施形態の効果］
（１）本実施形態では、ドア１は、左右の縦枠１０を備えるドア枠４と、左右の縦枠１０に対して外部側に配置される左右の縦框４０，５０および面材６を備える扉５とを備え、左右の縦框４０，５０のうちの吊元側の縦框４０は、吊元側の縦枠１０Ｂに回動可能に連結され、戸先側の縦框５０は、縦框本体部としてのホロー部５１と、ホロー部５１の見込み面５１Ｃから見付け方向外側に延設された外側把手部としての室外把手片５３とを有し、室外把手片５３は、扉５の閉鎖状態で戸先側の縦枠１０Ａを覆って配置されることを特徴とする。
上記構成を有するため、左右の縦框４０，５０が左右の縦枠１０Ａ，１０Ｂに対して外部側に配置されるアウトセットタイプのドア１において、戸先側の縦框５０のホロー部５１から室外把手片５３が延設されているので、この室外把手片５３を把持して扉５を開閉操作できる。このため、内外に突出した把手を有するハンドルなどの可動操作部品を扉５に設ける必要がなく、扉５の部品点数を削減できる。
また、室外把手片５３がホロー部５１の見込み面５１Ｃから見付け方向外側に延設されるので、この室外把手片５３によって戸先側の縦枠１０Ａを覆うことができるとともに、扉５の外観をフラットな意匠に構成できる。
さらに、本実施形態では、以下の各効果を発揮できる。
（２）戸先側の縦枠１０Ａの室外面には、弾性変形可能な戸当りゴム１５が取り付けられ、戸先側の縦框５０には、ホロー部５１の室内面から室内側に延設された内側把手部としての室内把手片５４を備え、室内把手片５４は、扉５の閉鎖状態で戸当りゴム１５を覆って配置される。
このため、室内把手片５４がホロー部５１の室内面から室内側に延設されているので、室内把手片５４を把持して扉５を開閉操作でき、また、扉５を受ける戸当りゴム１５の見込み面を室内把手片５４によって覆うことでシンプルな意匠を構成できる。
（３）戸先側の縦框５０のホロー部５１に一体に形成された室外把手片５３または室内把手片５４の押し引きによって扉５を開閉操作できるので、ハンドルなどの可動操作部品が破損して開閉操作不能となるおそれをなくすことができる。
（４）ホロー部５１の見込み面５１Ｃに延設された室外把手片５３によって縦枠１０Ａの室外面を覆うことができる分だけ、ホロー部５１を見付け方向に小さく形成でき、これにより、戸先側の縦框５０の見付け寸法を小さくできる。
【００３２】
［第２実施形態の構成］
以下、本発明の第２実施形態を図面に基づいて説明する。
図４において、第２実施形態に係るドア１は、前述した第１実施形態に係るドア１と同様に構成されており、さらに、扉５を閉鎖状態に維持する閉鎖維持機構としてのラッチ機構８０を備えている。ラッチ機構８０は、扉５において少なくとも１箇所に設けられていればよいが、本実施形態では、戸先側の縦框５０、縦枠１０Ａにおける上側部分および下側部分の２箇所に設けられている。
【００３３】
ラッチ機構８０は、扉５の室内把手片５４に取り付けられる係合部材であるラッチ部材８１と、戸先側の縦枠１０Ａに取り付けられる受け部材８２とを備えている。
ラッチ部材８１は、円柱状のローラー８３を回転可能であって出没可能に保持するローラー締まりとして構成されている。受け部材８２は、ローラー８３と係合する凹溝部を有したローラー締まり受けとして構成されている。
【００３４】
縦框５０の室内把手片５４の見込み片部５４１のうちラッチ機構８０の設置箇所に対応した部分は切り欠かれており、当該切欠き部分にラッチ部材８１が嵌め込まれている。また、扉側スペーサー８４が室内把手片５４の見込み片部５４１の縦枠１０Ａ側の面に沿って配置されており、ラッチ部材８１および扉側スペーサー８４がネジ固定される扉側裏板８５が見込み片部５４１の前記面とは反対側の面に沿って配置されている。
ラッチ部材８１のうち見込み片部５４１から把持片部５４２に沿って突出した部分および扉側裏板８５は、カバー材８６によって覆われている。
【００３５】
受け部材８２は、戸先側の縦枠１０Ａのホロー部１１の室外面に取り付けられている。具体的には、受け部材８２は枠側スペーサー８７とともに枠側裏板８８にネジ固定され、この枠側裏板８８は縦枠１０Ａのホロー部１１の室外面にネジ固定されている。
受け部材８２は、ホロー部１１の室外面に配置されるため、戸当りゴム１５と干渉する。このため、戸当りゴム１５は、受け部材８２が取り付けられる部分を除いて取り付けられている。すなわち、縦枠１０Ａに取り付けられる戸当りゴム１５は、３つに分割されており、一つ目の戸当りゴム１５は、縦枠１０Ａの上端から上側の受け部材８２の位置までに配置され、二つ目の戸当りゴム１５は、上下２つの受け部材８２間に配置され、三つ目の戸当りゴム１５は、下側の受け部材８２から縦枠１０Ａの下端までに配置されている。
【００３６】
［第２実施形態の効果］
（１）第２実施形態によれば、前述した第１実施形態による効果に加え、扉５のドア枠４に対する中心軸Ｏを中心として回動して閉鎖位置に配置される際に、ラッチ部材８１のローラー８３が受け部材８２の凹溝部に係合することで、図４に示す扉５の閉鎖状態を維持できる。また、扉５が中心軸Ｏを中心として回動して閉鎖位置から開かれる際に、ラッチ部材８１のローラー８３が受け部材８２の凹溝部から外れることで、扉５の閉鎖状態の維持を解除し、開放可能状態にできる。
（２）ラッチ機構８０は、戸先側の縦框５０および戸先側の縦枠１０Ａの上側部分および下側部分にそれぞれ設けられる。
このため、戸先側の縦框５０、縦枠１０Ａのうちラッチ機構８０が設けられる上側部分および下側部分間における中間部分には、ラッチ部材８１や受け部材８２が配置されることがないので、当該中間部分ではラッチ部材８１や受け部材８２が邪魔とならずに室内把手片５４を操作できる。
【００３７】
［変形例］
本発明は、以上の実施形態で説明した構成のものに限定されず、本発明の目的を達成できる範囲での変形例は、本発明に含まれる。
例えば、前記実施形態では、縦枠１０Ｂに取り付けられる戸当りゴム１５には、縦框４０の外周面部４１１と縦枠１０Ｂの見込み片部の室外側端縁との間に位置するヒレ部１５２が形成されているが、このヒレ部１５２がなくてもよい。
また、縦枠１０Ｂに取り付けられる戸当りゴム１５の構成を省略してもよい。
【００３８】
第２実施形態では、ラッチ機構８０が縦框５０および縦枠１０Ａの上側部分および下側部分の双方に設けられているが、上側部分および下側部分のいずれか一方にだけ設けられていてもよい。
また、ラッチ部材８１が扉５の室内把手片５４に取り付けられ、かつ、受け部材８２が戸先側の縦枠１０Ａに取り付けられているが、これに限られず、ラッチ部材８１が縦枠１０Ａｂに取り付けられ、かつ、受け部材８２が扉５の室内把手片５４に取り付けられてもよい。
【００３９】
第２実施形態では、ローラーラッチ機構であるラッチ機構８０を備えているが、これに限られず、例えば、マグネットラッチ機構、ボールラッチ機構、プッシュラッチ機構などを閉鎖維持機構として備えていてもよい。
【符号の説明】
【００４０】
１…ドア、１０（１０Ａ，１０Ｂ）…縦枠、１１，４１，５１…ホロー部、１１１，１２１…対向面、１１２…係合溝、１２，５４１…見込み片部、１４，８６…カバー材、１５…ゴム、１５１…中空部、１５２…ヒレ部、１５３…係合片、２…壁、２０…上框、２１，３１…形材本体、２２，３２…ブラケット、２３，３３…押さえ板、２４，３４…カバー部材、２５…ネジ、３…天井、３０…下框、４…ドア枠、４０，５０…縦框、４１１…外周面部、４１２…連結壁部、４２，５２…保持片、４５…セッティングブロック、５…扉、５１Ａ…室外面、５１Ｂ…室内面、５１Ｃ…見込み面、５３…室外把手片、５４…室内把手片、５４２…把持片部、６…面材、６０…ピボットヒンジ、６０Ａ…上ピボットヒンジ、６０Ｂ…下ピボットヒンジ、６１…支持プレート（第一支持プレート）、６２…軸受部、６２１…穴、６３…樹脂カバー、６４…軸部材（第一軸部材）、６５…支持プレート（第二支持プレート）、６６…軸部材（第二軸部材）、７５…軸受部品、８０…ラッチ機構（閉鎖維持機構）、８１…ラッチ部材（係合部材）、８２…受け部材、８３…ローラー、８４…扉側スペーサー、８５…扉側裏板、８７…枠側スペーサー、８８…枠側裏板、Ｌ，Ｗ１…突出寸法、Ｏ…中心軸、Ｓ…隙間寸法。
【図１】
0006591338.tif 000002
【図２】
0006591338.tif 000003
【図３】
0006591338.tif 000004
【図４】
0006591338.tif 000005